(57)【要約】【課題】本発明は小型の受信端末でも番組情報を見ることができる番組情報表示装置および番組情報表示方法を提供する。【解決手段】複数チャンネルの電子番組情報を受取るチューナ（１）と、１つのチャンネルのある時間帯の番組情報を表示するＥＰＧ表示部（９）と、表示されている番組情報を、他のチャンネルの同じ時間帯、あるいは最も近い時間帯の番組情報に切替える手段とを具備する。【選択図】      図８
2006020235.tif 000002
【特許請求の範囲】
【請求項１】
複数チャンネルの電子番組情報を受取る手段と、
１つのチャンネルのある時間帯の番組情報を表示する手段と、
表示されている番組情報を、他のチャンネルの同じ時間帯、あるいは近い時間帯の番組情報に切替える手段と、
を具備する番組情報表示装置。
【請求項２】
前記切替え手段は現在表示されている番組情報の開始時間と同じ開始時間の他のチャンネルの番組情報に切替える請求項１記載の番組情報表示装置。
【請求項３】
前記切替え手段は現在表示されている番組情報の開始時間を含む時間帯の他のチャンネルの番組情報に切替える請求項１記載の番組情報表示装置。
【請求項４】
前記切替え手段は現在表示されている番組情報の開始時間と同じ終了時間の他のチャンネルの番組情報に切替える請求項１記載の番組情報表示装置。
【請求項５】
前記切替え手段は現在表示されている番組情報の開始時間に最も近い将来時間の開始時間の他のチャンネルの番組情報に切替える請求項１記載の番組情報表示装置。
【請求項６】
前記表示手段は複数の番組の放送時間、番組名を縦に時系列に表示する請求項１記載の番組情報表示装置。
【請求項７】
前記表示手段は現在放送中の番組情報を識別可能に表示する請求項６記載の番組情報表示装置。
【請求項８】
前記表示手段は番組名の文字数に応じて文字のフォントを変えて表示する請求項６記載の番組情報表示装置。
【請求項９】
前記切替え手段は現在表示されている番組情報の開始時間に最も近い過去時間の開始時間の番組から所定数前の番組の情報を表示する請求項６記載の番組情報表示装置。
【請求項１０】
表示する番組情報の時間帯を切替える手段と、
現在放送中の番組以外の番組が表示されている時、ユーザの操作により、現在放送中の番組の番組情報の表示に切替える手段と、
をさらに具備する請求項６記載の番組情報表示装置。
【請求項１１】
前記表示手段は番組の放送日時を表示する請求項１記載の番組情報表示装置。
【請求項１２】
複数チャンネルの電子番組情報を受取るステップと、
１つのチャンネルのある時間帯の番組情報を表示するステップと、
表示されている番組情報を、他のチャンネルの同じ時間帯、あるいは近い時間帯の番組情報に切替えるステップと、
を具備する番組情報表示方法。
【請求項１３】
前記切替えステップは現在表示されている番組情報の開始時間と同じ開始時間の他のチャンネルの番組情報に切替える請求項１２記載の番組情報表示方法。
【請求項１４】
前記切替えステップは現在表示されている番組情報の開始時間を含む時間帯の他のチャンネルの番組情報に切替えるステップである請求項１２記載の番組情報表示方法。
【請求項１５】
前記切替えステップは現在表示されている番組情報の開始時間と同じ終了時間の他のチャンネルの番組情報に切替えるステップである請求項１２記載の番組情報表示方法。
【請求項１６】
前記切替えステップは現在表示されている番組情報の開始時間に最も近い将来時間の開始時間の他のチャンネルの番組情報に切替えるステップである請求項１２記載の番組情報表示方法。
【請求項１７】
前記表示ステップは複数の番組の放送時間、番組名を縦に時系列に表示するステップである請求項１２記載の番組情報表示方法。
【請求項１８】
前記表示ステップは現在放送中の番組情報を識別可能に表示するステップである請求項１７記載の番組情報表示方法。
【請求項１９】
前記表示ステップは番組名の文字数に応じて文字のフォントを変えて表示するステップである請求項１７記載の番組情報表示方法。
【請求項２０】
前記切替えステップは現在表示されている番組情報の開始時間に最も近い過去時間の開始時間の番組から所定数前の番組の情報を表示するステップである請求項１７記載の番組情報表示方法。
【請求項２１】
表示する番組情報の時間帯を切替えるステップと、
現在放送中の番組以外の番組が表示されている時、ユーザの操作により、現在放送中の番組の番組情報の表示に切替えるステップと、
をさらに具備する請求項１７記載の番組情報表示方法。
【請求項２２】
前記表示ステップは番組の放送日時を表示するステップである請求項１２記載の番組情報表示方法。
【発明の詳細な説明】
【技術分野】
【０００１】
本発明は番組情報表示装置および番組情報表示方法に関し、詳しくは、放送局から放送波とともに送信されてくる、あるいはインターネット等のネットワークを介して別途供給されるＥＰＧ（電子番組ガイド）データに基づいて電子番組表を表示する番組情報表示装置および番組情報表示方法に関する。
【背景技術】
【０００２】
現在、テレビ番組の放送予定を知らせるものとして、新聞や雑誌等の紙媒体の代わりにＥＰＧを使用することが色々と提案されている。代表的なものとしては、通常の映像・音声等のテレビジョン信号以外に、ＥＰＧ情報をデータ情報として併せて送信し、受信側においてこのデータ情報を復調して、受像機の画面上にＥＰＧ画面を再生する方法が採用されている（例えば、特許文献１参照）。一般的にテレビジョン画面は横長なので、ＥＰＧ画面は時間軸を縦方向とし、複数チャンネルを横方向に並べている。時間、チャンネルはともにスクロール可能となっている。
【０００３】
ところで、近年、移動中に多チャンネルの放送サービスが楽しめるモバイル放送が実用化されつつある。モバイル放送は専用の衛星から従来のＢＳ放送やＣＳ放送（使用する周波数は１２ＧＨｚ帯）に比べて強い電波（使用する周波数はＳバンドと呼ばれる２．６ＧＨｚ帯）を送出するので、端末側は小型のアンテナで移動中も受信できるようになっている。このようなモバイル放送の携帯受信端末では画面が小型であり、従来のＥＰＧ画面は表示できないので、新たなＥＰＧ画面を設計する必要がある。
【特許文献１】特開２００１−１８６４３６号公報（図３〜図６）
【発明の開示】
【発明が解決しようとする課題】
【０００４】
このように従来の番組情報表示装置は小型の受信端末には向かないという欠点がある。
【０００５】
本発明の目的は小型の受信端末でも番組情報を見ることができる番組情報表示装置および番組情報表示方法を提供することである。
【課題を解決するための手段】
【０００６】
上記した課題を解決し目的を達成するために、本発明は以下に示す手段を用いている。
【０００７】
（１）本発明の一実施態様の番組情報表示装置は、複数チャンネルの電子番組情報を受取る手段と、１つのチャンネルのある時間帯の番組情報を表示する手段と、表示されている番組情報を、他のチャンネルの同じ時間帯、あるいは最も近い時間帯の番組情報に切替える手段とを具備するものである。
【０００８】
（２）本発明の一実施態様の番組情報表示方法は、複数チャンネルの電子番組情報を受取るステップと、１つのチャンネルのある時間帯の番組情報を表示するステップと、表示されている番組情報を、他のチャンネルの同じ時間帯、あるいは最も時間帯の番組情報に切替えるステップとを具備するものである。
【発明の効果】
【０００９】
以上説明したように本発明によれば、チャンネルを切替えることにより、小型の受信端末でも多チャンネルの番組情報を見ることができる。
【発明を実施するための最良の形態】
【００１０】
以下、図面を参照して本発明による番組情報表示装置および番組情報表示方法の実施の形態を説明する。
【００１１】
第１の実施の形態
図１は本発明の一実施の形態である番組情報表示装置を利用するモバイル放送の受信端末装置の概略を示す。外観は小型のノートブックパーソナルコンピュータあるいはＰＤＡ装置の外観と同じであり、十字キー１０やＥＰＧ表示、予約、放送中番組ボタン等の種々の操作ボタン１２を有する装置本体１４に液晶等の表示パネル１６が開閉自在に設けられてなる。図示していないが、音声は小型のスピーカ、あるいはヘッドホンから再生される。
【００１２】
図２は本発明の第１の実施の形態に係る番組情報表示装置の構成を示すブロック図である。番組情報表示装置はチューナ１、ＥＰＧデータ抽出部２、ＥＰＧデータ格納メモリ３、番組表作成部６、映像信号処理部７、表示データ選択部８、表示パネル９とから構成されている。本発明の趣旨とは直接関係がないので図示していないが、映像信号処理部７の出力が予約番組の記録のためにメモリカード等の記録媒体に書込まれる。
【００１３】
チューナ１は特定の放送局のチャンネルを受信し映像及び音声データを受信すると共に、放送局からのＥＰＧ（電子番組情報ガイド）データを受信する。なお、放送番組には音声データのみのラジオ番組も含む。このＥＰＧは、例えば１週間ごとにテレビ放送局から送信されるテレビ番組の放送予定のデータであって、各番組毎に、タイトル、開始日時、終了日時、分類、番組内容説明等から構成されるものである。
【００１４】
ＥＰＧデータ抽出部２は、チューナ１からの受信信号からＥＰＧデータを分離し、ＥＰＧデータ格納メモリ３に出力する。番組表作成部６では、メモリ３に格納されたＥＰＧデータに基づき、表示パネル９でのＥＰＧによる番組表示を可能とするようＥＰＧ表示のためのデータ処理を行う。
【００１５】
一方、映像信号処理部７では、チューナ１からの受信信号から映像データを抽出して映像信号処理が行なわれる。表示選択部８では、視聴者によるＥＰＧ表示のための操作ボタン１２（図１）からの指示により、映像の表示を行うか電子番組表の表示を行うかが選択される。なお、表示選択部８は通常は映像信号処理部７からの映像情報を選択して表示パネル９に出力するように設定されている。
【００１６】
本実施の形態のＥＰＧ表示は、表示パネル９の画面が小さいので、１チャンネル分の所定数の番組情報しか表示しない。しかし、番組情報は時間方向、チャンネル方向にスクロールあるいは切替え可能である。このため、携帯用の小型の放送受信機器でも十分な番組情報を知ることができる。表示する番組は現在時刻を含む番組（現在放送中の番組）を筆頭に、ここでは３つの番組である。時間を進める操作をすると、次の３つの番組セットの情報が表示される。チャンネルを切替える操作をすると、隣のチャンネルの番組情報に切り替わるが、現在時刻に近い時間帯の番組が表示されるのではなく、チャンネル切替え前に表示されている番組の時間帯に近い時間帯の番組を表示する。このため、同じ時間帯の他のチャンネルの番組を比較することができ、一番視聴したい番組を決めるのに便利である。
【００１７】
図３〜図７にチャンネルを切替える操作をした時の種々の表示例を示す。
【００１８】
図３の例はチャンネルを切替えた時、チャンネルを切替える前に表示されている３つの番組の中の選択されている番組の開始時間と同じ開始時間の番組を筆頭に３つの番組を表示することを示している。
【００１９】
ＥＰＧ表示のための操作ボタン１２が押されると、予め決まっているチャンネル（ここでは、チャンネル１）で現在放送されている番組を筆頭に３つの番組の番組情報が画面の縦方向に時系列に表示される。もしも、現在放送されている番組が無い場合は、最も近い将来時間に放送が開始される番組を筆頭に３つの番組の番組情報が表示される。現在時刻が１２時４５分とすると、図３の左側に示すように、チャンネル１の１２時３０分〜１３時３０分までの番組Ａ、１３時３０分〜１４時３０分までの番組Ｂ、１４時３０分〜１５時１５分までの番組Ｃの番組情報がＥＰＧ画面に表示される。
【００２０】
番組情報は番組の時間帯（開始時間から終了時間）、番組名が一般的である。しかし、単なる番組名以外にも、番組の分類、番組内容説明等を併せて表示してもよい。番組名等のテキスト情報は文字数が多くて全てを表示できない場合は、文字のフォントを小さくして表示する。
【００２１】
現在放送中の番組は他と区別されるように表示形態（例えば、色、フォント、点滅等）が異なっている。図示の例では、放送中を示す“ON AIR”マークが付けられている。
【００２２】
ＥＰＧ表示画面の先頭には日付も表示されるが、この日付は本日の日付ではなく、先頭の番組の開始日時に基づいた日付である。このため、表示されている番組が何時放送されるのかを知ることができる。
【００２３】
３つの番組の番組情報が表示されているが、そのうちのいずれかが選択状態である。初期状態では先頭の番組が選択状態であるとする。選択状態の番組情報は他の番組情報と表示形態（例えば、色、フォント、点滅等）が異なり、区別されている。ここでは、色を変えて表示されている。
【００２４】
このＥＰＧ表示画面において、十字キー１０の実行キー（中央の丸キー）、あるいはＥＰＧ表示のための操作ボタン１２が押されると、この選択が確定し、表示選択部８の動作によりＥＰＧ表示から選択確定番組の映像表示に切り替わる。あるいは、ＥＰＧ表示画面において、予約のための操作ボタン１２が押されると、選択状態にある番組が予約される。番組が予約されている場合、予約された時間が来ると、チューナ１は自動的に当該番組を受信し、放送データはメモリカードに格納される。
【００２５】
ＥＰＧ表示画面において、十字キー１０の“時間＋”キー（下向きキー）、“時間−”キー（上向きキー）が押されると、選択番組が上下し、時間帯の異なる番組が選択される。３つの番組の先頭、最後の番組が選択されている状態で、さらに上向きキー、あるいは下向きキーが押されると、前、次の３つの番組セットの情報の表示に切り替わる。あるいは、上向きキー、あるいは下向きキーが連続して二度（パーソナルコンピュータのマウスのダブルクリックのように）押されると、直ぐに前、次の３つの番組セットの情報に切り替わってもよい。
【００２６】
ＥＰＧ表示画面において、十字キー１０の“チャンネル＋”キー（右向きキー）、“チャンネル−”キー（左向きキー）が押されると、ＥＰＧの表示チャンネルが切り替わる。ただし、この段階ではチューナ１の選局は切り替わっておらず、チャンネル１の音声が出力されている。表示チャンネルが切り替わった時、初期状態で表示される番組はチャンネルが切り替わる前に選択されていた番組の開始時間と同じ開始時間の番組である。例えば、チャンネル１で１５時１５分〜１５時３０分までの番組Ｄが選択されている時に右向きキーが押されると、チャンネル２の１５時１５分〜１５時３０分までの番組Ｍから３つの番組の情報の表示に切り替わる。この状態でも上向きキー、下向きキーが押されると、チャンネル２の他の時間帯の番組が表示される。
【００２７】
図４の例はチャンネルを切替えた時、チャンネルを切替える前に選択されている番組の開始時間と同じ開始時間の番組が存在しない場合であり、この場合は開始時間を含む時間帯の（選択番組の開始時間より前に放送開始し、選択番組の開始時間に放送が続いている）番組から表示することを示している。すなわち、チャンネル１で１５時１５分〜１５時３０分までの番組Ｄが選択されている時に右向きキーが押されると、チャンネル２では１５時１５分から開始する番組は存在しない。そこで、チャンネル２で１５時１５分を含む時間帯（１５時０５分〜１６時００分）の番組Ｍから３つの番組の情報の表示に切り替わる。
【００２８】
図５の例はチャンネルを切替えた時、チャンネルを切替える前に選択されている番組の開始時間と同じ開始時間の番組が存在しないし、開始時間を含む時間帯の番組も存在しない場合、開始時間と同じ終了時間の番組から表示することを示している。すなわち、チャンネル１で１５時１５分〜１５時３０分までの番組Ｄが選択されている時に右向きキーが押されると、チャンネル２では１５時１５分から開始する番組は存在しないし、１５時１５分より前に放送開始し、１５時１５分に放送が続いている番組も存在しない。そこで、チャンネル２で１５時１５分に終了する番組Ｍから３つの番組の情報の表示に切り替わる。
【００２９】
図６の例はチャンネルを切替えた時、チャンネルを切替える前に選択されている番組の開始時間と同じ開始時間の番組が存在しないし、開始時間を含む時間帯の番組も存在しないし、開始時間と同じ終了時間の番組も存在しない場合、最も近い将来時間に開始する番組から表示することを示している。すなわち、チャンネル１で１５時１５分〜１５時３０分までの番組Ｄが選択されている時に右向きキーが押されると、チャンネル２では１５時１５分から開始する番組は存在しないし、１５時１５分より前に放送開始し、１５時１５分に放送が続いている番組は存在しないし、１５時１５分に終了する番組は存在しない。そこで、チャンネル２で１６時００分から開始する番組Ｍから３つの番組の情報の表示に切り替わる。
【００３０】
図７の例はチャンネルを切替えた時、チャンネルを切替える前に選択されている番組の開始時間と同じ開始時間の番組が存在しないし、開始時間を含む時間帯の番組も存在しないし、開始時間と同じ終了時間の番組も存在しないし、将来時間に開始する番組も存在しない場合、最も近い過去の番組セットから表示することを示している。すなわち、チャンネル１で１０時３０分〜１１時３０分までの番組Ａが選択されている時に右向きキーが押されると、チャンネル２ではこれより将来時間において放送される番組が無いので、５時１５分〜５時３０分の番組Ｐから３つの番組の情報の表示に切り替わる。
【００３１】
図３〜図７のいずれの場合も、あるチャンネルである番組を選択している時にチャンネルを切替えると、選択している番組の時間帯に近い時間帯の番組を表示するものである。これにより、小さい表示画面でも全チャンネルの番組情報を表示できるとともに、同一時間帯で他チャンネルの番組をサーチすることができ、視聴したい番組を探すのに便利である。
【００３２】
言い換えると、本実施形態では、ＥＰＧ表示のための操作ボタン１２が押されると、現在時間が基準時間としてセットされ、チャンネルを切替えた時、この基準時間を含む時間帯、あるいは基準時間に近い時間帯の３つの番組の番組情報が表示される。この基準時間は時間±キー（上向きキー、下向きキー）が押されない限り変化しない。時間±キーが押され、表示される３つの番組がシフトすると、表示されている３つの番組の一番上の番組の開始時間が基準時間となる。そのため、チャンネルを切替えた時、当該チャンネルで近い時間帯に放送中の番組が無くて、図７のように表示する番組の時間帯が大きくずれても、時間±キーを一度も押さなければ、再びチャンネル１の表示に戻った時、現在放送されている番組、あるいは最も近い将来時間に放送が開始される番組を筆頭にした図３の左側の表示画面に戻る。
【００３３】
また、任意の番組を選択中に、現在放送ボタン（操作ボタン１２に含まれる）が押さされると、当該チャンネルの現在放送中の番組を筆頭に３つの番組の情報が表示される。
【００３４】
図８は本実施形態の動作を示すフローチャートである。装置本体の電源投入時、あるいは映像表示時にＥＰＧ表示のための操作ボタン１２が押されると、ステップＳ１２で所定のチャンネル（チャンネル１）で現在放送されている番組があるか否か判定する。放送中の番組がある場合、ステップＳ１４でその番組を筆頭に３つの番組の情報を表示する。放送中の番組が無い場合、ステップＳ１６で最も近い将来時間に開始する番組を筆頭に３つの番組の情報を表示する。
【００３５】
ステップＳ１８で上向きキー、下向きキーが操作されたか否か判定する。操作されたキー、または操作に応じて、ステップＳ２０で選択番組が上下、あるいは３番組セットが上下する。
【００３６】
ステップＳ２２で右向きキー、左向きキーが操作されたか否か判定する。操作されたキーに応じて、チャンネルが切替えられ、ステップＳ２４、Ｓ２６、Ｓ２８、Ｓ３０で図３、図４、図５、図６あるいは図７の何れに該当するか判定する。
【００３７】
ステップＳ３２で選択された番組を筆頭に３つの番組の情報からなるＥＰＧ画面が表示される。
【００３８】
以上説明したように、第１の実施の形態によれば、１チャンネル分の３つの番組の情報しか表示しない。しかし、番組情報は時間方向、チャンネル方向にスクロールあるいは切替え可能であるので、携帯用の小型の放送受信機器でも十分な番組情報を知ることができる。
【００３９】
本発明は上述した実施の形態に限定されず、種々変形して実施可能である。例えば、上述の説明では、放送波がアンテナを介してチューナに入力される場合に限らず、放送データがインターネットを介してパーソナルコンピュータあるいはセットトップボックス等に放送データが入力されてもよい。また、メディアはテレビ番組に限らず、ラジオ番組でもよい。ＥＰＧ表示画面は時間方向を縦方向としたが、３つの番組情報を画面の横方向に並べて表示してもよい。ＥＰＧ表示の初期状態では所定のチャンネル（ここでは、チャンネル１）が表示されるとしたが、直前に受信していたチャンネルの番組が表示されるとしてもよい。映像端末はモバイル放送の端末に限らず、他の携帯用の小型の放送番組受信端末でもよい。
【図面の簡単な説明】
【００４０】
【図１】本発明の実施形態の番組情報表示装置を利用する放送受信端末の概略を示す図。
【図２】本発明の第１の実施の形態に係る番組情報表示装置の構成を示すブロック図。
【図３】番組情報表示の一例を示す図。
【図４】番組情報表示の他の例を示す図。
【図５】番組情報表示の他の例を示す図。
【図６】番組情報表示の他の例を示す図。
【図７】番組情報表示の他の例を示す図。
【図８】本発明の第１の実施の形態に係る番組情報表示装置の動作を示すフローチャート。
【符号の説明】
【００４１】
１…チューナ、２…ＥＰＧデータ抽出部、３…ＥＰＧデータ格納メモリ、６…番組表作成部、７…映像信号処理部、８…表示選択部、９…表示パネル。
【図１】
2006020235.tif 000003
【図２】
2006020235.tif 000004
【図３】
2006020235.tif 000005
【図４】
2006020235.tif 000006
【図５】
2006020235.tif 000007
【図６】
2006020235.tif 000008
【図７】
2006020235.tif 000009
【図８】
2006020235.tif 000010